(57)【要約】【課題】第１の筐体と第２の筐体とを相対的にスライド可能且つ重合面内で回動可能に設けた携帯端末において、第１の筐体と第２の筐体との間の電気的接続が確実に行える携帯端末を提供する。【解決手段】第２の筐体３４の重合面に取り付けられ、第１の筐体３２に対して第２の筐体３４を長手方向にスライド移動させるスライドガイドプレート３８と、第１の筐体３２の重合面にスライド不能且つ回動可能に取り付けられ、スライドガイドプレート３８のスライド移動をガイドするセンタープレート４０と、第１の筐体３２と第２の筐体３４とを重合面内で回動可能に連結するヒンジ装置５０と、第１の筐体３２と第２の筐体３４とを電気的に接続するフレキシブル配線基板７０とを具備し、フレキシブル配線基板７０は、第１の筐体３２と接続された一端部７０ａと第２の筐体３４と接続された他端部７０ｂとの間の中間部７０ｃでセンタープレート４０に固定されている。【選択図】図８
2010157864.tif 000002
【特許請求の範囲】
【請求項１】
第１の筐体と第２の筐体とが、互いの重合面に平行に相対的に各筐体の長手方向にスライド可能に設けられ、且つ互いの重合面に平行に相対的に回動可能に設けられている携帯端末において、
前記第２の筐体の重合面に取り付けられ、第１の筐体に対して第２の筐体を長手方向にスライド移動させるスライドガイドが形成されたスライドガイドプレートと、
前記第１の筐体の重合面にスライド不能且つ回動可能に取り付けられ、該スライドガイドプレートのスライドガイドに対して第２の筐体のスライド移動をガイドするセンタープレートと、
第１の筐体と第２の筐体とを重合面内で相対的に回動可能に連結するヒンジ装置と、
前記第１の筐体と第２の筐体とを電気的に接続するフレキシブル配線基板とを具備し、
前記フレキシブル配線基板は、
第１の筐体と接続された一端部と第２の筐体と接続された他端部との間の中間部で前記センタープレートに固定されていることを特徴とする携帯端末。
【請求項２】
前記フレキシブル配線基板は、
前記中間部と前記第１の筐体の一端部との間の平面的な形状が、前記第２の筐体を第１の筐体に対して回動させた際の回動方向に沿った円弧状に形成されていることを特徴とする請求項１記載の携帯端末。
【請求項３】
前記第１の筐体の重合面には、円弧状の部分で重なったフレキシブル配線基板の厚み分を逃がすような凹部が形成されていることを特徴とする請求項２記載の携帯端末。
【請求項４】
前記第１の筐体と前記第２の筐体との相対的な回動動作が、第１の筐体と第２の筐体とがスライドしておらずに完全に重合している場合も含んで特定のスライド位置にある場合にのみ回動可能とする回動規制手段を具備することを特徴とする請求項１〜請求項３のうちのいずれか１項記載の携帯端末。
【請求項５】
前記回動規制手段は、
前記センタープレートにおいて、付勢手段によって前記第1の筐体方向に付勢されて取り付けられると共に、前記第１の筐体と前記スライドガイドプレートとの間に挟み込まれて配置され、第１の筐体方向に突出する第１の突起と、該第１の突起とは反対方向であるスライドガイドプレート方向に突出する第２の突起とを有し、且つ前記第２の筐体の回動動作の初動時の動作方向に対して直交する方向に向いた軸線を有する回動軸によって第１の筐体方向とスライドガイドプレート方向とで所定範囲内での回動が可能な動作規制用レバーと、
前記第２の筐体が第１の筐体に対して回動可能となる特定のスライド位置において、前記第１の筐体の重合面側に形成され、通常時において前記付勢手段によって第１の筐体側に付勢されている前記第１の突起を収納する第1の収納凹部と、前記スライドガイドプレートの該第１の収納凹部と対向した位置に形成され、前記付勢手段の付勢力に抗して前記動作規制用レバーがスライドガイドプレート方向に動作した場合に、前記第２の突起を収納する第２の収納凹部とを有していることを特徴とする請求項４記載の携帯端末。
【請求項６】
前記動作規制用レバーの第１の突起が、第２の筐体の回動動作の初動時に該初動時の動作に伴って前記第１の収納凹部の開口端部に当接する部位が、第１の筐体方向に向かうにしたがって幅狭となるようなテーパ状に形成されていることを特徴とする請求項５記載の携帯端末。
【請求項７】
第１の筐体と第２の筐体とが、互いの重合面に平行に相対的に各筐体の長手方向にスライド可能に設けられ、且つ互いの重合面に平行に相対的に回動可能に設けられている携帯端末において、
前記第２の筐体の重合面に取り付けられ、第１の筐体に対して第２の筐体を長手方向にスライド移動させるスライドガイドが形成されたスライドガイドプレートと、
前記第１の筐体の重合面にスライド不能且つ回動可能に取り付けられ、該スライドガイドプレートのスライドガイドに対して第２の筐体のスライド移動をガイドするセンタープレートと、
第１の筐体と第２の筐体とを重合面内で相対的に回動可能に連結するヒンジ装置と、
前記第１の筐体と前記第２の筐体との相対的な回動動作が、第１の筐体と第２の筐体とがスライドしておらずに完全に重合している場合も含んで特定のスライド位置にある場合にのみ回動可能とする回動規制手段とを具備し、
前記回動規制手段は、
前記センタープレートにおいて、付勢手段によって前記第1の筐体方向に付勢されて取り付けられると共に、前記第１の筐体と前記スライドガイドプレートとの間に挟み込まれて配置され、第１の筐体方向に突出する第１の突起と、該第１の突起とは反対方向であるスライドガイドプレート方向に突出する第２の突起とを有し、且つ前記第２の筐体の回動動作の初動時の動作方向に対して直交する方向に向いた軸線を有する回動軸によって第１の筐体方向とスライドガイドプレート方向とで所定範囲内での回動が可能な動作規制用レバーと、
前記第２の筐体が第１の筐体に対して回動可能となる特定のスライド位置において、前記第１の筐体の重合面側に形成され、通常時において前記付勢手段によって第１の筐体側に付勢されている前記第１の突起を収納する第1の収納凹部と、前記スライドガイドプレートに形成され、前記付勢手段の付勢力に抗して前記動作規制用レバーがスライドガイドプレート方向に動作した場合に、前記第２の突起を収納する第２の収納凹部とを有していることを特徴とする携帯端末。
【請求項８】
前記動作規制用レバーの第１の突起の、前記第１の収納凹部の開口端部に当接する部位が、第２の筐体の回動動作の初動時に該初動時の動作に伴って第1の収納凹部の開口端部からスライドガイドプレート方向に乗り上げるようにテーパ状に形成されていることを特徴とする請求項７記載の携帯端末。
【発明の詳細な説明】
【技術分野】
【０００１】
本発明は、第１の筐体と第２の筐体とが、互いの重合面に平行に相対的に各筐体の長手方向にスライド可能に設けられ、且つ互いの重合面に平行に相対的に回動可能に設けられている携帯端末に関する。
【背景技術】
【０００２】
携帯電話やＰＤＡ等の携帯端末においては、キーが配置されている第１の筐体と、第１の筐体の上面に配置されて液晶画面を有する第２の筐体とをスライド可能に重ね合わせた形態のものがよく知られている。
【０００３】
また、ワンセグ（1セグメント部分受信サービス）放送を受信可能な端末が普及してきたことにより、液晶画面を従来のようにユーザに対して縦方向ではなく、横方向に向けることができるような構成も知られている。
【０００４】
そこで、キーが配置された第１の筐体に対して、液晶画面を配置した第２の筐体を長手方向にスライド可能に設け、且つ所定のスライド位置において第２の筐体を第１の筐体に対して回動可能として液晶画面を横長にさせることができる携帯端末が開発されてきている（例えば、特許文献１、特許文献２参照）。
【０００５】
特許文献１および特許文献２に記載されている携帯端末では、液晶画面を有する第２の筐体の重合面側にガイドプレートを設け、ガイドプレートに対してスライド可能なスライドガイドプレートを第１の筐体の重合面側に設け、ガイドプレートのスライド方向に沿って形成された長穴内に収納された回動ヒンジを設け、長穴の一部を拡径することによりこの位置に回動ヒンジが存在する場合にのみ回動ヒンジが回動可能となり、第２の筐体の回動を規制する構成となっている。
【０００６】
【特許文献１】特開２００７−４９２９４号公報
【特許文献２】特開２００７−７１２８３号公報
【発明の開示】
【発明が解決しようとする課題】
【０００７】
特許文献１および特許文献２では、スライドと回動という２つの動作について機構的な部分での提案はされているが、第１の筐体と第２の筐体との間の電気的な接続については、何ら開示されていない。
したがって、スライド且つ回動という複雑な動作がなされる場合であっても、第１の筐体と第２の筐体との間の電気的な接続が確実に行える構成が要望されているという課題がある。
【０００８】
また、特許文献１および特許文献２に開示されている構成では、第２の筐体が所定の位置にスライドしている状態の時に限り第１の筐体に対して回動可能とする回動規制手段が設けられていた。
しかし、特許文献１および特許文献２に開示されている回動規制手段は、ガイドプレートに形成された長穴に回動ヒンジが挿入され、長穴に沿って回動ヒンジがスライドしたときに長穴の一部が拡径された部位に到達したときに回動ヒンジが回動可能となる構成である。
【０００９】
しかし、上記のような回動規制手段では、第２の筐体をスライドさせた際に、重合面に設けられているガイドプレートの長穴が完全に露出することとなってしまうので、見た目が優れないという課題があるとともに、防水性および防塵性が弱いという課題もある。
【００１０】
そこで、本発明は、上記課題を解決すべくなされ、その目的とするところは、第１の筐体と第２の筐体とを相対的にスライド可能且つ重合面内で回動可能に設けた携帯端末において、第１の筐体と第２の筐体との間の電気的接続が確実に行える携帯端末を提供することにある。
【００１１】
また、本発明は、上記課題を解決すべくなされ、その目的とするところは、第１の筐体と第２の筐体とを相対的にスライド可能且つ重合面内で回動可能に設けた携帯端末において、その回動を可能とする位置を規制する回動規制手段が、見た目に優れ、且つ防水性および防塵性にも優れるように構成される携帯端末を提供することにある。
【課題を解決するための手段】
【００１２】
本発明にかかる携帯端末によれば、第１の筐体と第２の筐体とが、互いの重合面に平行に相対的に各筐体の長手方向にスライド可能に設けられ、且つ互いの重合面に平行に相対的に回動可能に設けられている携帯端末において、前記第２の筐体の重合面に取り付けられ、第１の筐体に対して第２の筐体を長手方向にスライド移動させるスライドガイドが形成されたスライドガイドプレートと、前記第１の筐体の重合面にスライド不能且つ回動可能に取り付けられ、該スライドガイドプレートのスライドガイドに対して第２の筐体のスライド移動をガイドするセンタープレートと、第１の筐体と第２の筐体とを重合面内で相対的に回動可能に連結するヒンジ装置と、前記第１の筐体と第２の筐体とを電気的に接続するフレキシブル配線基板とを具備し、前記フレキシブル配線基板は、第１の筐体と接続された一端部と第２の筐体と接続された他端部との間の中間部で前記センタープレートに固定されていることを特徴としている。
この構成を採用することによる作用は以下の通りである。
すなわち、フレキシブル配線基板は、一端部が第1の筐体と固定され、他端部が第２の筐体と固定され、中間部がセンタープレートと固定される。これにより、第１の筐体に対して第２の筐体をスライドさせたときには、フレキシブル配線基板は、他端部と中間部との間で折り曲げられるようにして他端部がスライド方向に移動する。また、第１の筐体に対して第２の筐体を回動させたときには、フレキシブル配線基板は、一端部と中間部との間で折り曲げられるようにして中間部が回動方向に移動する。このようにして、スライドと回動の両方の動作が行える携帯端末であっても、各筐体の電気的な接続が確実に行える。
【００１３】
また、前記フレキシブル配線基板は、前記中間部と前記第１の筐体の一端部との間の平面的な形状が、前記第２の筐体を第１の筐体に対して回動させた際の回動方向に沿った円弧状に形成されていることを特徴としてもよい。
この構成によれば、第１の筐体を第２の筐体に対して回動させた際に、フレキシブル配線基板の円弧状の部分が部分的に重なるように折り曲げられ、センタープレートに固定された中間部が、回動に伴って円弧状の部分に沿って移動する。このようにして、スライドと回動の両方の動作が行える携帯端末であっても、各筐体の電気的な接続が確実に行える。
【００１４】
さらに、前記第１の筐体または前記スライドガイドプレートには、円弧状の部分で重なったフレキシブル配線基板の厚み分を逃がすような凹部が形成されていることを特徴としてもよい。
これによれば、フレキシブル配線基板の移動をスムーズに行うことができると共に、  携帯端末の薄型化を図ることができる。
【００１５】
さらに、前記第１の筐体と前記第２の筐体との相対的な回動動作が、第１の筐体と第２の筐体とがスライドしておらずに完全に重合している場合も含んで特定のスライド位置にある場合にのみ回動可能とする回動規制手段を具備することを特徴としてもよい。
【００１６】
また、前記回動規制手段は、前記センタープレートにおいて、付勢手段によって前記第１の筐体方向に付勢されて取り付けられると共に、前記第１の筐体と前記スライドガイドプレートとの間に挟み込まれて配置され、第１の筐体方向に突出する第１の突起と、該第１の突起とは反対方向であるスライドガイドプレート方向に突出する第２の突起とを有し、且つ前記第２の筐体の回動動作の初動時の動作方向に対して直交する方向に向いた軸線を有する回動軸によって第１の筐体方向とスライドガイドプレート方向とで所定範囲内での回動が可能な動作規制用レバーと、前記第２の筐体が第１の筐体に対して回動可能となる特定のスライド位置において、前記第１の筐体の重合面側に形成され、通常時において前記付勢手段によって第１の筐体側に付勢されている前記第１の突起を収納する第1の収納凹部と、前記スライドガイドプレートの該第１の収納凹部と対向した位置に形成され、前記付勢手段の付勢力に抗して前記動作規制用レバーがスライドガイドプレート方向に動作した場合に、前記第２の突起を収納する第２の収納凹部とを有していることを特徴としてもよい。
この構成によれば、スライドガイドプレートにスライド方向に沿った溝や穴を設けなくても回動の動作規制が行えるので、スライド時に第２の筐体の重合面を見ても溝や穴が無く見た目に優れた携帯端末とすることができる。さらに、スライドガイドプレートに溝や穴が形成されていると防水性の面や防塵性の面で劣る事が考えられるが、この構成ではスライドガイドプレートに溝や穴を形成しなくてもよいので、防水性や防塵性に優れた携帯端末とすることができる。
【００１７】
さらに、前記動作規制用レバーの第１の突起が、第２の筐体の回動動作の初動時に該初動時の動作に伴って前記第１の収納凹部の開口端部に当接する部位が、第１の筐体方向に向かうにしたがって幅狭となるようなテーパ状に形成されていることを特徴としてもよい。
これによれば、動作規制用レバーの動作がスムーズに行われる。
【００１８】
本発明にかかる携帯端末によれば、第１の筐体と第２の筐体とが、互いの重合面に平行に相対的に各筐体の長手方向にスライド可能に設けられ、且つ互いの重合面に平行に相対的に回動可能に設けられている携帯端末において、前記第２の筐体の重合面に取り付けられ、第１の筐体に対して第２の筐体を長手方向にスライド移動させるスライドガイドが形成されたスライドガイドプレートと、前記第１の筐体の重合面にスライド不能且つ回動可能に取り付けられ、該スライドガイドプレートのスライドガイドに対して第２の筐体のスライド移動をガイドするセンタープレートと、第１の筐体と第２の筐体とを重合面内で相対的に回動可能に連結するヒンジ装置と、前記第１の筐体と前記第２の筐体との相対的な回動動作が、第１の筐体と第２の筐体とがスライドしておらずに完全に重合している場合も含んで特定のスライド位置にある場合にのみ回動可能とする回動規制手段とを具備し、前記回動規制手段は、前記センタープレートにおいて、付勢手段によって前記第1の筐体方向に付勢されて取り付けられると共に、前記第１の筐体と前記スライドガイドプレートとの間に挟み込まれて配置され、第１の筐体方向に突出する第１の突起と、該第１の突起とは反対方向であるスライドガイドプレート方向に突出する第２の突起とを有し、且つ前記第２の筐体の回動動作の初動時の動作方向に対して直交する方向に向いた軸線を有する回動軸によって第１の筐体方向とスライドガイドプレート方向とで所定範囲内での回動が可能な動作規制用レバーと、前記第２の筐体が第１の筐体に対して回動可能となる特定のスライド位置において、前記第１の筐体の重合面側に形成され、通常時において前記付勢手段によって第１の筐体側に付勢されている前記第１の突起を収納する第1の収納凹部と、前記スライドガイドプレートの該第１の収納凹部と対向した位置に形成され、前記付勢手段の付勢力に抗して前記動作規制用レバーがスライドガイドプレート方向に動作した場合に、前記第２の突起を収納する第２の収納凹部とを有していることを特徴としている。
この構成を採用することによって、スライドガイドプレートにスライド方向に沿った溝や穴を設けなくても回動の動作規制が行えるので、スライド時に第２の筐体の重合面を見ても溝や穴が無く見た目に優れた携帯端末とすることができる。さらに、スライドガイドプレートに溝や穴が形成されていると防水性の面や防塵性の面で劣る事が考えられるが、この構成ではスライドガイドプレートに溝や穴を形成しなくてもよいので、防水性や防塵性に優れた携帯端末とすることができる。
【発明の効果】
【００１９】
本発明にかかる携帯端末によれば、各筐体の電気的な接続が確実に行える。
【００２０】
本発明にかかる携帯端末によれば、見た目に優れ、なおかつ防水性および防塵性に優れたものとすることができる。
【発明を実施するための最良の形態】
【００２１】
以下、本発明にかかる携帯端末の実施の形態について説明する。
まず、本実施形態の携帯端末の概略構成と図１〜図３に示し、これに基づいて概略の動作について説明する。
本実施形態の携帯端末３０は、数字キーやファンクションキー等のキー部分３１が設けられた第１の筐体（以下、キー筐体と称する場合がある）３２と、液晶画面（ＬＣＤ）３３が設けられた第２の筐体（以下、ＬＣＤ筐体と称する場合がある）３４とを備えている。
キー筐体３２およびＬＣＤ筐体３４ともに平面視長方形状に形成されており、それぞれの長手方向と短手方向とが一致するように重ね合わされて配置されている。キー筐体３２のキー部分３１は、ＬＣＤ筐体３４に対向する重合面に設けられており、ＬＣＤ筐体３４のＬＣＤ３３は表面（重合面ではない面）に設けられている。図１に示す状態のように、両筐体３２，３４が完全に重合している状態のときには、キー筐体３２のキー部分３１はＬＣＤ筐体３４によって隠蔽されている。
【００２２】
ＬＣＤ筐体３４は、キー筐体３２に対して長手方向にスライド可能に設けられている。具体的には、図２に示すように、完全に重合している状態（図1の状態）から、キー部分３１を露出させることができる部位にまで、キー筐体３２に対してＬＣＤ筐体３４を長手方向に、重合面に対して平行にスライドさせることができる。
【００２３】
また、本実施形態では、キー筐体３２とＬＣＤ筐体３４とが重合している状態（図１の状態）からキー筐体３２に対してＬＣＤ筐体３４を重合面に平行な面内で回動させることができる。具体的には、図３に示すように、ＬＣＤ筐体３４を所定の回動中心に対して９０度回動させることによって、キー部分３１を露出させることができるとともに、キー筐体３２に対して縦長であったＬＣＤ３３をキー筐体３２に対して横長となるような状態とすることができる。
【００２４】
なお、携帯端末３０は、キー筐体３２に対してＬＣＤ筐体３４が特定の位置にある場合にのみ、図３に示す回動動作が実行可能となる。本実施形態では、キー筐体３２とＬＣＤ筐体３４とが完全に重合している場合（図１の状態）のときに限り、ＬＣＤ筐体３４をキー筐体３２に対して回動させることができる。このように、回動動作の規制は、後述するような回動規制手段によって実行される。
【００２５】
（スライド機構および回動機構を実現する具体的構成）
以下、本実施形態の携帯端末について、具体的な構成を説明する。
図４は、携帯端末の組立分解図であり、図５及び図６は、図４に示したスライドヒンジＡＳＳＹの組立分解図である。また、図７はスライドヒンジＡＳＳＹの側面図である。
図４に示すように、携帯端末３０は、キー筐体３２と、ＬＣＤ筐体３４と、キー筐体３２とＬＣＤ筐体３４との間に配置されるスライドヒンジＡＳＳＹ３６とを備えている。
【００２６】
スライドヒンジＡＳＳＹ３６は、図５と図６に示すようにＬＣＤ筐体３４の重合面側に固定されるスライドガイドプレート３８と、スライドガイドプレート３８の下面（キー筐体側）に配置されるセンタープレート４０と、センタープレート４０の下面（キー筐体側）に配置されるキープレート４８とを有している。
【００２７】
スライドガイドプレート３８は金属製の板状の部材であって、キー筐体３２に対するＬＣＤ筐体３４のスライド動作をガイドする機能を有する。スライドガイドプレート３８の長手方向に沿った両側がガイド部３８ａとして形成され、このガイド部３８ａがセンタープレート４０に保持される。このため、センタープレート４０に対するスライドガイドプレート３８の長手方向への移動がガイドされる。
【００２８】
センタープレート４０は金属製の板状の部材であって、長手方向両側にはスライドガイドプレート３８の両サイドのガイド部３８ａを保持するように折り曲げられて構成された保持部４０ａが形成されている。
また、スライドガイドプレート３８とセンタープレート４０の間には、反転スライドバネ４２が設けられている。図５の反転スライドバネと、図６の反転スライドバネとでは異なる形状のものを図示しているが、どちらの形状の反転スライドバネを採用してもよい。
【００２９】
センタープレート４０は、キー筐体３２に固定されて設けられる回動ヒンジ装置５０の回動軸５２が挿入固定される固定穴５１が形成されており、スライドガイドプレート３８と共に回動することができる。
つまり、ユーザがＬＣＤ筐体３４を手で持って回動させようとすると、ＬＣＤ筐体３４に固定されたスライドガイドプレート３８と、スライドガイドプレート３８の両サイドを保持するセンタープレート４０にもユーザによる回動力が伝達される。そして、センタープレート４０に固定された回動ヒンジ装置５０の回動軸５２を回動中心として、ＬＣＤ筐体３４とスライドガイドプレート３８とセンタープレート４０とが一体になって回動する。
【００３０】
なお、反転スライドバネ４２は、スライド動作をアシストするためのものであり、一端４２ａがスライドガイドプレート３８の下面に回動自在に取り付けられており、他端４２ｂがセンタープレート４０の上面に回動自在に取り付けられている。
なお、図６に示した反転スライドバネ４２は、平巻きされて形成された平巻き部４４、４６が２箇所に形成されている。
【００３１】
反転スライドバネ（図５および図６の双方の形状を含む）の動作を以下に説明する。
反転スライドバネ４２は、一端４２ａがスライドガイドプレート３８に、他端４２ｂがセンタープレート４０に設けられているので、センタープレート４０に対するスライドガイドプレート３８のスライド移動をアシストするようにバネ力がはたらく。
すなわち、ＬＣＤ筐体３４を重合状態から開く方向に途中までスライドさせると、反転スライドバネ４２が全開方向に付勢力を働かせ、全開状態から重合させる方向に途中までスライドさせた場合でも反転スライドバネ４２が全閉（重合）方向に付勢力を働かせるように動作する。
【００３２】
キープレート４８は、金属製の板状の部材であって、キー筐体３２の重合面に固定される。キープレート４８は、後述する回動規制手段の構成をなす第１の収納凹部８６が形成されている。
【００３３】
キープレート４８には、円弧状の溝部５４が形成されている。溝部５４は、回動ヒンジ装置５０の回動軸５２を円の中心として円弧状に形成されており、センタープレート４０の回動動作をガイドする機能を有する。すなわち、センタープレート４０の下面（キー筐体側）には、キープレート４８に向けて突出するガイド突起５５が設けられており、このガイド突起５５が溝部５４に収納保持される。溝部５４は、ＬＣＤ筐体３４の回動動作に伴ってガイド突起５５が内部を移動するように設けられており、これによりセンタープレート４０の回動動作、ひいてはＬＣＤ筐体３４の回動動作をガイドすることができる。
【００３４】
なお、キープレート４８は回動ヒンジ装置５０の回動軸５２が直接接触しないように貫通させる貫通穴５６を有している。キープレート４８が回動軸５２とは接触しないように貫通穴５６が形成されているので、キープレート４８は、ＬＣＤ筐体３４、スライドガイドプレート３８、センタープレート４０とは一緒に回動せず、キー筐体３２に固定されている。
【００３５】
回動ヒンジ装置５０は、キープレート４８の下面に配置され、その本体はキー筐体３２内に収納される。
回動ヒンジ装置５０の構成について、図７に基づいて説明する。
回動ヒンジ装置５０は、ＬＣＤ筐体３４の回動動作のアシストを行う機能と、回動時のトルクを出す機能とを備えている。
【００３６】
回動ヒンジ装置５０は、端部に大径のヘッド６１を有するシャフト６０と、シャフト６０の周囲に配置されたコイルバネ６３と、カムプレート６２と、カム６４とを有している。シャフト６０の先端がカムプレート６２とカム６４とを貫通して回動軸５２として、センタープレート４０に固定される。
カム６４の一端面（平坦面）側は、キープレート４８の下面（キー筐体側）に固定されており、カム６４の他端面は、ヘッド６１方向に向けて凹凸が形成されている。カム６４は、シャフト６０とは接触しないようにシャフト６０を貫通させており、シャフト６０からは直接の力を受けない。
【００３７】
カムプレート６２はシャフト６０に固定されており、シャフト６０からの力（回動軸５２からの力：すなわちセンタープレート４０から受ける回動力）を受けて、キープレート４８に対して固定されたカム６４に対して回動する。
また、カムプレート６２には、カム６４の凹凸にかみ合うように凹凸が形成されている。
【００３８】
コイルバネ６３は、一端がカムプレート６２の平坦な面側に当接し、他端がヘッド６１に当接するように、ヘッド６１とカムプレート６２の間に圧縮されて配置される。このため、コイルバネ６３は、カムプレート６２をカム６４方向に付勢している。
【００３９】
したがって、ユーザがＬＣＤ筐体３４を回動させようとして回動力を加えると、センタープレート４０が回動ヒンジ装置５０のシャフト６０（回動軸５２）を回動させる。このとき、シャフト６０の回動に伴ってカムプレート６２がカム６４の凹凸を乗り越えながら回動しようとするので、凹凸がかみ合う方向に向けて回動がアシストされるようになり、また回動時のクリック感を出すことができる。また、このときのコイルバネ６３によって、カムプレート６２がカム６４に向けて付勢されているので、回動時のトルクを出すことができる。
【００４０】
（フレキシブル配線基板の構成）
続いて、フレキシブル配線基板７０について説明する。重合時におけるフレキシブル配線基板７０の状態を図８に示している。また、図９には、フレキシブル配線基板７０の配線状態の概略を側面から見たところを示す。
フレキシブル配線基板７０は、キー筐体３２とＬＣＤ筐体３４を電気的に接続するために設けられているものである。
【００４１】
本発明にかかる携帯端末３０のフレキシブル配線基板７０は、３点で固定されている。
つまり、フレキシブル配線基板７０の一端部７０ａはキー筐体３２に固定され、他端部７０ｂはＬＣＤ筐体３４に固定され、一端部７０ａと他端部７０ｂとの中間部７０ｃが、センタープレート４０に固定されている。
【００４２】
なお、フレキシブル配線基板７０の他端部７０ｂは、スライドガイドプレート３８下側（センタープレート側）から、スライドガイドプレート３８の所定位置に形成された貫通穴７１（図６、図８参照）を通してスライドガイドプレート３８の上面（ＬＣＤ筐体の重合面）に突出し、ＬＣＤ筐体３４に固定されてもよいし、図９に示すようにスライドガイドプレート３８のキー部分３１より全体が切り欠かれて形成された逃げ穴７４を通してスライドガイドプレート３８の上面（ＬＣＤ筐体の重合面）に突出し、ＬＣＤ筐体３４に固定されてもよい。
【００４３】
このように、フレキシブル配線基板７０が３点で固定されることによる作用は以下の通りである。
スライド時には、センタープレート４０に対して、スライドガイドプレート３８とＬＣＤ筐体３４とがスライドする。したがって、フレキシブル配線基板７０は他端部７０ｂと中間部７０ｃとの間Ｓでのみ折り曲げられる。
回動時には、キー筐体３２およびキープレート４８に対して、センタープレート４０、スライドガイドプレート３８およびＬＣＤ筐体３４が回動する。したがって、フレキシブル配線基板７０は一端部７０ａと中間部７０ｃとの間Ｒでのみ折り曲げられる。
このように、フレキシブル配線基板７０を少なくともスライド動作および回動動作に必要な部分のみ動作させることができ、フレキシブル配線基板７０の破損防止等に寄与する。
【００４４】
また、フレキシブル配線基板７０の他端部７０ｂと中間部７０ｃとの間Ｓは、スライド方向に対して斜めに配置されるよう形成されている。このため、ＬＣＤ筐体３４をスライドさせたときに、フレキシブル配線基板７０の重なり部分をなるべく小さくすることができる。また、ＬＣＤ筐体３４をキー筐体３２に対して回動させたときに（図１１の状態ｃのとき）フレキシブル配線基板７０の他端部７０ｂと中間部７０ｃとの間Ｓがキー筐体３２からはみ出してしまうことを防止できる。
【００４５】
フレキシブル配線基板７０の一端部７０ａと中間部７０ｃとの間Ｒは、平面視円弧状に形成されている。この円弧の中心は、ＬＣＤ筐体３４の回動中心である回動ヒンジ装置５０の回動軸５２が配置されている部位である。
このため、ＬＣＤ筐体３４を回動中心を軸線として回動させると、フレキシブル配線基板７０の円弧状に形成された部分Ｒが、重なりつつ移動するので、回動時においてもフレキシブル配線基板７０の破損等を防止して確実な回動動作が行える。
【００４６】
続いて、スライド時と回動時のフレキシブル配線基板の動作の様子をさらに詳細に説明する。図１０には、スライド時におけるフレキシブル配線基板の動作の様子を示す。図１０では、（ａ）〜（ｅ）の順にＬＣＤ筐体３４が突出する方向にスライド動作が行われている。
この場合には、フレキシブル配線基板７０の他端部７０ｂと中間部７０ｃとの間Ｓで、折り曲げ部分７６が形成され、この折り曲げ部分７６がスライド移動に伴って他端部７０ｂから中間部７０ｃへ移動し、最終的（ｅ）には、折り曲げ部分７６が中間部７０ｃの位置まで到達する。このように最終的にスライドが完了したときには、折り曲げ部分７６が中間部７０ｃの位置にあるので、フレキシブル配線基板７０の他端部７０ｂと中間部７０ｃとの間Ｓは、重合時とは表裏が逆になっている。
【００４７】
図１１には、回動時におけるフレキシブル配線基板の動作の様子を示す。図１１では（ａ）〜（ｅ）の順に回動動作が行われている。
この場合には、フレキシブル配線基板７０の中間部７０ｃと一端部７０ａとの間Ｒでは、センタープレート４０の下側（キー筐体側）において折り曲げ部分７７が形成され、この折り曲げ部分７７が回動動作に伴って一端部７０ａ側に移動する。最終的（ｅ）には、折り曲げ部分７７が回動方向に沿って一端部７０ａの固定された位置を越える。
【００４８】
なお、回動時には、フレキシブル配線基板７０の中間部７０ｃと一端部７０ａとの間Ｒは、センタープレート４０とキー筐体３２との間で折り曲げが行われるので、折り曲げられたときに厚みを逃がすための逃げ部７８を、キー筐体３２の重合面に設けるとよい。逃げ部７８は、キー筐体３２の重合面側に形成された凹部である。逃げ部７８の形状は、幅がフレキシブル配線基板７０の幅よりも若干幅広の扇状である。
【００４９】
センタープレート４０の上面側（スライドガイドプレート３８側）には、フレキシブル配線基板７０を反転スライドバネ４２の接触等から保護するための保護プレート９０が設けられている。
保護プレート９０は、センタープレート４０の上面（スライドガイドプレート３８に向く面）から隙間をあけて配置されている。この隙間内のセンタープレート４０の上面に、反転スライドバネ４２の他端４２ｂが取り付けられている。
【００５０】
なお、ＬＣＤ筐体３４をスライドさせたときには、反転スライドバネ４２の長手方向における一端４０ａの位置と他端４０ｂの位置とが入れ替わり、フレキシブル配線基板７０側に反転スライドバネ４２が移動してくる（例えば、図１０を参照）。
そこで、上述したように、保護プレート９０を設けて、保護プレート９０とセンタープレート４０との間に反転スライドバネ４２の他端４２ｂを配置し、ＬＣＤ筐体３４のスライド時に、フレキシブル配線基板７０の折り曲げ部分７６と他端部７０ｂとの間Ｓが、保護プレート４０の上面に位置するようにするすることで、スライド時には反転スライドバネ４２は保護プレート４０内に隠蔽され、フレキシブル配線基板７０に接触しないようにすることができる。
【００５１】
（回動規制手段）
続いて、回動規制手段について説明する。
図１２に回動規制手段の概略配置図を示し、図１３に回動規制手段７９の概略動作を示す。
回動規制手段７９は、ＬＣＤ筐体３４のキー筐体３２に対する回動動作において、ＬＣＤ筐体３４が特定のスライド位置にある場合にのみ可能となり、特定の位置以外にＬＣＤ筐体３４がある場合には回動ができないように規制するものである。
【００５２】
回動規制手段７９は、センタープレート４０に取り付けられた動作規制用レバー８０が、キープレート４８に係合するか、スライドガイドプレート３８に係合するかで回動規制がされるように構成されている。
つまり、スライドガイドプレート３８とキープレート４８との間に配置された動作規制用レバー８０が、スライドガイドプレート３８とキープレート４８の何れか一方に係合することで、回動規制が実現される。
【００５３】
動作規制用レバー８０が、キープレート４８と係合しているときは、センタープレート４０とキープレート４８とが固定されてしまうので、回動がされない状態である。
動作規制用レバー８０が、キープレート４８との係合を解除されると、動作規制用レバー８０はスライドガイドプレート３８と係合する。するとセンタープレート４０とスライドガイドプレート３８とが固定されてしまうのでスライドはできなくなり、またキープレート４８とセンタープレート４０との固定が解除されるので回動可能となる。
【００５４】
具体的な構成及び動作を図１３と図１４に基づいて説明する。
動作規制用レバー８０は、センタープレート４０に取り付けられる基部８２と、キープレート４８に係合する部位である第１の突起８４と、スライドガイドプレート３８に係合する部位である第２の突起８５とを備えている。
動作規制用レバー８０の厚さ方向（上下方向）の長さは、スライドガイドプレート３８とキープレート４８との間の距離よりも長く形成されており、動作規制用レバー８０の上下方向の端部のうち何れかが常にスライドガイドプレート３８とキープレート４８の何れかの収納凹部に収納されて係合されるものである。
【００５５】
基部８２は、図示しない付勢手段（ねじりコイルバネ等）を介してセンタープレート４０に取り付けられており、第１の突起８４がキープレート４８側に常時付勢されるように設けられている。基部８２は、各筐体の重合面と平行且つ軸線方向が各筐体の長手方向（スライド方向）に延びるように設けられた回動軸８９に回動可能に取り付けられている。付勢手段は、回動軸８９に対して動作規制用レバー８０を回動軸８９を中心に回動させ、動作規制用レバー８０のキープレート４８への係合と、スライドガイドプレート３８への係合とを切り換えている。
【００５６】
キープレート４８には、動作規制用レバー８０の第1の突起８４が進入可能な第１の収納凹部８６が形成されている。
また、本実施形態のスライドガイドプレート３８では、キー筐体３２とＬＣＤ筐体３４とが重合している位置において、第１の収納凹部８６と対向する位置に、動作規制用レバー８０の第２の突起８５が進入可能な第２の収納凹部８８が形成されている。
【００５７】
したがって、重合時は図１３の（ａ）に示すように、付勢手段の付勢力に抗して動作規制用レバー８０を回動させることで、第１の収納凹部８６から第１の突起８４が退出し、これとともに第２の突起８５が第２の収納凹部８８へ進入する（図１３の（ｃ））。このため、本実施形態では、重合している（スライドしていない）位置では、回動規制が解除され、回動が可能となる。
【００５８】
重合時（図１３の（ａ））から、ＬＣＤ筐体３４をスライドすることはできる（図１３の（ｂ））。つまり、スライドガイドプレート３８と動作規制用レバー８０とが係合していないためである。
【００５９】
なお、付勢手段の付勢力に抗して動作規制用レバー８０を回動させる動作は、ＬＣＤ筐体３４を回動方向に力を加えることで行える。つまり、動作規制用レバー８０の第1の突起８４は、回動動作の初動時の動作に伴って第１の収納凹部８６の開口端部からキープレート４８の上面に乗り上げ、第１の突起８４が第１の収納凹部８６から退出する。
なお、動作規制用レバー８０の第1の突起８４の、第１の収納凹部８６の開口端部に当接する部位８４ａはテーパ状に形成されており、ユーザがＬＣＤ筐体３４を回動させようとしたとき、第１の収納凹部８６にこのテーパ状の部位８４ａが乗り上げやすくなっている。
【００６０】
上述してきた構成では、第２の収納凹部８８の位置を、第１の収納凹部８６に対向する位置に設けた。これによって、回動動作は、各筐体が完全に重合している位置を特定の位置として、この位置以外では回動動作が行えないように規制していた。
【００６１】
しかし、第２の収納凹部の位置を他の位置に設ければ、この位置において動作規制用レバー８０のキープレート４８との間の係合は解除されるので、この位置が特定の位置として回動動作が行えるように設定される。したがって、ＬＣＤ筐体３４を最大限スライドさせた位置のみで回動動作が可能となるようにすることもできる。
【００６２】
なお、回動規制手段７９としては、動作規制用レバー８０の第１の突起８４がキープレート４８の第１の収納凹部に収納される形態に限定されることはない。この第1の収納凹部はキー筐体３２に直接形成されていてもよい。
【００６３】
また、第１の収納凹部の開口端部も、第1の突起が乗り上げやすくなるように、テーパ状に形成されていてもよい。
【００６４】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００６５】
【図１】携帯端末のキー筐体とＬＣＤ筐体を完全に重合させたときの外観を示す斜視図である。
【図２】携帯端末のキー筐体に対してＬＣＤ筐体を最大にスライドさせたときの外観を示す斜視図である。
【図３】携帯端末のキー筐体に対して重合面内でＬＣＤ筐体を９０度回動させたところの外観を示す斜視図である。
【図４】携帯端末の組立分解図である。
【図５】図４の組立分解図をさらに詳細に示した組立分解図である。
【図６】スライドヒンジＡＳＳＹの組立分解図である。
【図７】スライドヒンジＡＳＳＹの側面図である。
【図８】フレキシブル配線基板の配置状態を平面的に示す説明図である。
【図９】フレキシブル配線基板の配置状態を側面的に示す説明図である。
【図１０】スライド時のフレキシブル配線基板の動作状態を示す説明図である。
【図１１】回動時のフレキシブル配線基板の動作状態を示す説明図である。
【図１２】回動規制手段の配置位置を示す組立分解図である。
【図１３】動作規制用レバーの動作の様子を示す説明図である。
【図１４】動作規制用レバーの側面図である。
【符号の説明】
【００６６】
３０  携帯端末
３１  キー部分
３２  キー筐体
３３  ＬＣＤ
３４  ＬＣＤ筐体
３８  スライドガイドプレート
３８ａ  ガイド部
４０  センタープレート
４０ａ  保持部
４２ａ  一端
４２ｂ  他端
４２  反転スライドバネ
４４，４６  平巻き部
４８  キープレート
５０  回動ヒンジ装置
５１  固定穴
５２  回動軸
５４  溝部
５５  ガイド突起
５６  貫通穴
６０  シャフト
６１  ヘッド
６２  カムプレート
６３  コイルバネ
６４  カム
７０  フレキシブル配線基板
７０ａ  一端部
７０ｂ  他端部
７０ｃ  中間部
７１  貫通穴
７４  逃げ穴
７６，７７  折り曲げ部分
７８  逃げ部
７９  回動規制手段
８０  動作規制用レバー
８２  基部
８４  第１の突起
８４ａ  テーパ状の部位
８５  第２の突起
８６  第1の収納凹部
８８  第２の収納凹部
８９  回動軸
９０  保護プレート
【図５】
2010157864.tif 000003
【図７】
2010157864.tif 000004
【図８】
2010157864.tif 000005
【図９】
2010157864.tif 000006
【図１４】
2010157864.tif 000007
【図１】
2010157864.tif 000008
【図２】
2010157864.tif 000009
【図３】
2010157864.tif 000010
【図４】
2010157864.tif 000011
【図６】
2010157864.tif 000012
【図１０】
2010157864.tif 000013
【図１１】
2010157864.tif 000014
【図１２】
2010157864.tif 000015
【図１３】
2010157864.tif 000016